(57)【要約】【課題】より商品性を向上することができる照明装置および照明方法を提供することを目的とする。【解決手段】照明装置は、第１光源と、第１光源と波長の異なる第２光源と、トリガ信号を検出したとき、第１光源の輝度と第２光源の輝度を変化させ、第２光源の光に応じて表示が変化する照射対象物に第１光源と第２光源の光を照射する制御部と、を備える。【選択図】図１
2017124769.tif 000002
【特許請求の範囲】
【請求項１】
第１光源と、
前記第１光源と波長の異なる第２光源と、
トリガ信号を検出したとき、前記第１光源の輝度と前記第２光源の輝度を変化させ、前記第２光源の光に応じて表示が変化する照射対象物に前記第１光源と前記第２光源の光を照射する制御部と、
を備える照明装置。
【請求項２】
前記トリガ信号は、車両のドアの開け閉めに応じた信号であり、
前記制御部は、
前記ドアが開けられたことを示すトリガ信号を検出したとき、第１の所定時間で前記第１光源の輝度を上げ、
前記第１の所定時間経過後、第２の所定時間、前記第１光源の点灯を継続し、
前記第２の所定時間経過後、第３の所定時間、前記第１光源の輝度を下げつつ、前記第２光源の輝度を上げ、
前記第３の所定時間経過後、第４の所定時間、前記第２光源の点灯を継続し、
前記第２の所定時間経過後、第３の所定時間、前記第１光源の輝度を下げる、請求項１に記載の照明装置。
【請求項３】
前記トリガ信号は、スイッチが押されたことを示す信号であり、
前記制御部は、
前記スイッチが押されたことを示すトリガ信号を検出したとき、第１の所定時間で前記第１光源の輝度を上げ、
前記第１の所定時間経過後、第２の所定時間、前記第１光源の点灯を継続し、
前記第２の所定時間経過後、第３の所定時間、前記第１光源の輝度を下げつつ、前記第２光源の輝度を上げ、
前記第３の所定時間経過後、第４の所定時間、前記第２光源の点灯を継続し、
前記第２の所定時間経過後、第３の所定時間、前記第１光源の輝度を下げる、請求項１または請求項２に記載の照明装置。
【請求項４】
前記制御部は、
前記トリガ信号を複数回検出したとき、前記第１光源を点灯しつつ前記第２光源を消灯、前記第１光源を消灯、前記第１光源を消灯しつつ前記第２光源を点灯、および前記第２光源を消灯のうちの少なくとも１つを行う、請求項１から請求項３のいずれか１項に記載の照明装置。
【請求項５】
第１光源と、前記第１光源と波長の異なる第２光源と、を備え、前記第２光源の光に応じて表示が変化する照射対象物に前記第１光源と前記第２光源の光を照射する照明装置の照明方法であって、
制御部が、車両のドアが開けられたことを示すトリガ信号を検出したとき、第１の所定時間で前記第１光源の輝度を上げる手順と、
前記制御部が、前記第１の所定時間経過後、第２の所定時間、前記第１光源の点灯を継続する手順と、
前記制御部が、前記第２の所定時間経過後、第３の所定時間、前記第１光源の輝度を下げつつ、前記第２光源の輝度を上げる手順と、
前記制御部が、前記第３の所定時間経過後、第４の所定時間、前記第２光源の点灯を継続する手順と、
前記制御部が、前記第２の所定時間経過後、第３の所定時間、前記第１光源の輝度を下げる手順と、
を含む照明方法。
【請求項６】
第１光源と、前記第１光源と波長の異なる第２光源と、を備え、前記第２光源の光に応じて表示が変化する照射対象物に前記第１光源と前記第２光源の光を照射する照明装置の照明方法であって、
制御部が、スイッチが押されたことを示すトリガ信号を検出したとき、第１の所定時間で前記第１光源の輝度を上げる手順と、
前記制御部が、前記第１の所定時間経過後、第２の所定時間、前記第１光源の点灯を継続する手順と、
前記制御部が、前記第２の所定時間経過後、第３の所定時間、前記第１光源の輝度を下げつつ、前記第２光源の輝度を上げる手順と、
前記制御部が、前記第３の所定時間経過後、第４の所定時間、前記第２光源の点灯を継続する手順と、
前記制御部が、前記第２の所定時間経過後、第３の所定時間、前記第１光源の輝度を下げる手順と、
を含む照明方法。
【発明の詳細な説明】
【技術分野】
【０００１】
本発明は、照明装置および照明方法に関する。
【背景技術】
【０００２】
ドアの開け閉めに応じて、車両内の室内灯を点灯させる技術が知られている。ところで、このような室内灯に付加価値が望まれている。例えば、特許文献１には、複数の発光ダイオードと複数の光ファイバーを有し、乗車時や走行時や仮眠時に、これらの光源のうちいくつかの光源を組み合わせて点灯させることで、車両内の照明の演出効果を向上させることが開示されている。
【先行技術文献】
【特許文献】
【０００３】
【特許文献１】特開２００９−１０１８３１号公報
【発明の概要】
【発明が解決しようとする課題】
【０００４】
しかしながら、特許文献１に記載の従来技術では、演出を楽しみために、車両内に複数の発光ダイオードと複数の光ファイバーを配線および取り付ける必要があり、乗員が作業を行えない可能性がある。また、一度、他の演出に取り替えたい場合に、車両内に複数の発光ダイオードと複数の光ファイバーを、再度配線および取り付ける必要がある。このように、特許文献１に記載の従来技術では、乗員が簡便に演出効果を得ることができなかった。
【０００５】
本発明は上記の点に鑑みてなされたものであり、より商品性を向上することができる照明装置および照明方法を提供することを目的とする。
【課題を解決するための手段】
【０００６】
（１）上記目的を達成するため、本発明の一態様に係る照明装置は、第１光源と、前記第１光源と波長の異なる第２光源と、トリガ信号を検出したとき、前記第１光源の輝度と前記第２光源の輝度を変化させ、前記第２光源の光に応じて表示が変化する照射対象物に前記第１光源と前記第２光源の光を照射する制御部と、を備える。
【０００７】
（２）また、本発明の一態様に係る照明装置において、前記トリガ信号は、車両のドアの開け閉めに応じた信号であり、前記制御部は、前記ドアが開けられたことを示すトリガ信号を検出したとき、第１の所定時間で前記第１光源の輝度を上げ、前記第１の所定時間経過後、第２の所定時間、前記第１光源の点灯を継続し、前記第２の所定時間経過後、第３の所定時間、前記第１光源の輝度を下げつつ、前記第２光源の輝度を上げ、前記第３の所定時間経過後、第４の所定時間、前記第２光源の点灯を継続し、前記第２の所定時間経過後、第３の所定時間、前記第１光源の輝度を下げるようにしてもよい。
【０００８】
（３）また、本発明の一態様に係る照明装置において、前記トリガ信号は、スイッチが押されたことを示す信号であり、前記制御部は、前記スイッチが押されたことを示すトリガ信号を検出したとき、第１の所定時間で前記第１光源の輝度を上げ、前記第１の所定時間経過後、第２の所定時間、前記第１光源の点灯を継続し、前記第２の所定時間経過後、第３の所定時間、前記第１光源の輝度を下げつつ、前記第２光源の輝度を上げ、前記第３の所定時間経過後、第４の所定時間、前記第２光源の点灯を継続し、前記第２の所定時間経過後、第３の所定時間、前記第１光源の輝度を下げるようにしてもよい。
【０００９】
（４）また、本発明の一態様に係る照明装置において、前記制御部は、前記トリガ信号を複数回検出したとき、前記第１光源を点灯しつつ前記第２光源を消灯、前記第１光源を消灯、前記第１光源を消灯しつつ前記第２光源を点灯、および前記第２光源を消灯のうちの少なくとも１つを行うようにしてもよい。
【００１０】
（５）上記目的を達成するため、本発明の一態様に係る照明方法は、第１光源と、前記第１光源と波長の異なる第２光源と、を備え、前記第２光源の光に応じて表示が変化する照射対象物に前記第１光源と前記第２光源の光を照射する照明装置の照明方法であって、制御部が、車両のドアが開けられたことを示すトリガ信号を検出したとき、第１の所定時間で前記第１光源の輝度を上げる手順と、前記制御部が、前記第１の所定時間経過後、第２の所定時間、前記第１光源の点灯を継続する手順と、前記制御部が、前記第２の所定時間経過後、第３の所定時間、前記第１光源の輝度を下げつつ、前記第２光源の輝度を上げる手順と、前記制御部が、前記第３の所定時間経過後、第４の所定時間、前記第２光源の点灯を継続する手順と、前記制御部が、前記第２の所定時間経過後、第３の所定時間、前記第１光源の輝度を下げる手順と、を含む。
【００１１】
（６）上記目的を達成するため、本発明の一態様に係る照明方法は、第１光源と、前記第１光源と波長の異なる第２光源と、を備え、前記第２光源の光に応じて表示が変化する照射対象物に前記第１光源と前記第２光源の光を照射する照明装置の照明方法であって、制御部が、スイッチが押されたことを示すトリガ信号を検出したとき、第１の所定時間で前記第１光源の輝度を上げる手順と、前記制御部が、前記第１の所定時間経過後、第２の所定時間、前記第１光源の点灯を継続する手順と、前記制御部が、前記第２の所定時間経過後、第３の所定時間、前記第１光源の輝度を下げつつ、前記第２光源の輝度を上げる手順と、前記制御部が、前記第３の所定時間経過後、第４の所定時間、前記第２光源の点灯を継続する手順と、前記制御部が、前記第２の所定時間経過後、第３の所定時間、前記第１光源の輝度を下げる手順と、を含む。
【発明の効果】
【００１２】
（１）、（５）または（６）の構成によれば、トリガ信号に応じて、照射対象物へ２つの異なる光源の光を照射することで演出効果を得ることができる。この結果、従来技術より商品性を向上することができる。
また、（２）によれば、車両のドアの開閉タイミングに応じて、照射対象物へ２つの異なる光源の光を照射することで演出効果を得ることができる。この結果、従来技術より商品性を向上することができる。
また、（３）によれば、スイッチが押されたタイミングに応じて、照射対象物へ２つの異なる光源の光を照射することで演出効果を得ることができる。この結果、従来技術より商品性を向上することができる。
また、（４）によれば、１つのスイッチが複数回押されたタイミングそれぞれに応じて、照射対象物へ２つの異なる光源の光を照射する、または照射しないことで演出効果を得ることができる。
【図面の簡単な説明】
【００１３】
【図１】第１実施形態に係る照明装置の構成を示すブロック図である。
【図２】第１実施形態に係る車両が備える構成の例を示す図である。
【図３】第１実施形態に係る制御部が行う第１光源と第２光源の点灯状態の制御のタイミングチャートである。
【図４】第１実施形態に係る光源を照射対象物へ照射した場合の演出動作の一例を示す図である。
【図５】第１実施形態に係る制御部が行う処理のフローチャートである。
【図６】第２実施形態に係る照明装置の構成を示すブロック図である。
【図７】第２実施形態に係る制御部が行う第１光源と第２光源の点灯状態の制御のタイミングチャートである。
【図８】第２実施形態に係る制御部が行う処理のフローチャートである。
【発明を実施するための形態】
【００１４】
以下、図面を参照しながら本発明の実施形態について説明する。
【００１５】
［第１実施形態］
図１は、本実施形態に係る照明装置１の構成を示すブロック図である。図２は、本実施形態に係る車両２０１が備える構成の例を示す図である。なお、照明装置１は、車両２０１（図２）に設置されている。
【００１６】
図２に示すように、車両２０１は、インストルメントパネル１０１、ステアリングホイール１０２、マップランプ１０３、座席１０４、光源５０、照射対象物３を含んで構成される。インストルメントパネル１０１は、例えば、メーターやナビゲーションシステムのモニター、助手席のエアバッグなどが収まっている前方の装備部分である。ステアリングホイール１０２は、座席１０４の前部に配置されている。マップランプ１０３は、例えば車両２０１の天井に配置されている。照射対象物３は、例えばフロアカーペットマットであり、座席１０４に着席する乗員の足下に配置されている。光源５０は、例えばフットライト（足下照明、フットランプともいう）等の室内灯であり、乗員の足下を照射する位置に配置されている。
【００１７】
図１に示すように、照明装置１は、開閉検出部１０、記憶部３０、制御部４０、および光源５０を備えている。また、光源５０は、第１光源５１と第２光源５２を備えている。
【００１８】
開閉検出部１０は、車両２０１のドア２の開閉を検出し、検出した開閉結果を制御部４０に出力する。開閉結果には、ドア２が開いていることを検出したことを示す開情報と、ドア２が閉じていることを検出したことを示す閉情報が含まれている。なお、点灯状態とは、輝度の変化、点灯、消灯を含む。
【００１９】
記憶部３０は、ドア２の開閉状態に応じて、第１光源５１と第２光源５２の点灯状態を制御部４０が制御するための情報を記憶する。
【００２０】
制御部４０は、記憶部３０が記憶する情報を用いて、開閉検出部１０が出力した開閉情報に応じて、第１光源５１と第２光源５２の点灯状態を変化させるように制御する。なお、制御部４０が行う第１光源５１と第２光源５２の点灯状態の制御については、後述する。
【００２１】
光源５０は、例えばフットライト等の室内灯である。光源５０は、制御部４０の制御に応じて、照射対象物３に光を照射する。なお、光源５０は、マップランプ１０３、ルームライト（不図示）であってもよい。例えば、光源５０がルームライトの場合、照射対象物３が座席１０４にかけられたシートであり、光源５０は、シートに光を照射するようにしてもよい。
【００２２】
第１光源５１は、例えば白色ＬＥＤ（発光ダイオード）である。第１光源５１は、青色の波長帯域（例えば４５０［ｎｍ］）と緑色の波長帯域（例えば５２０［ｎｍ］）と赤色の波長帯域（例えば６６０［ｎｍ］）を含む。
第２光源５２は、例えばＵＶ（ＵｌｔｒａＶｉｏｌｅｔ；紫外線）  ＬＥＤ、例えば青色ＬＥＤである。第２光源の波長は、例えば４００〜５００［ｎｍ］である。
なお、本実施形態において、波長が異なるとは、例えば第１光源５１と第２光源５２のように、波長帯域が異なるものも含む。
【００２３】
照射対象物３は、例えばフロアカーペットマットである。照射対象物３には、肉眼では視認できない不可視インクによる印刷を有している。照射対象物３は、例えば第２光源５２の光を照射したとき、照射対象物３上に文字や模様等が浮かび上がる印刷がされている。
【００２４】
次に、制御部４０が行う第１光源５１と第２光源５２の点灯状態の制御の例を説明する。
図３は、本実施形態に係る制御部４０が行う第１光源５１と第２光源５２の点灯状態の制御のタイミングチャートである。図３において、横軸は時刻を表す。波形ｇ１は、ドアの開閉状態を表す。波形ｇ２は、第１光源５１の輝度を表し、０が消灯、ｍａｘが最大輝度を表す。また、波形ｇ４は、第２光源５２の輝度を表し、０が消灯、ｍａｘが最大輝度を表す。また、本実施形態では、図３における時刻ｔ１から時刻ｔ８を含む一連の動作を演出動作という。
【００２５】
時刻ｔ１において、制御部４０は、開閉検出部１０が出力した開閉情報に応じて、ドア２が開いていると判別する。
時刻ｔ１から時刻ｔ２の期間（第１の所定時間）、制御部４０は、第１光源５１の輝度を０からｍａｘに上げていく（増光ともいう）。
【００２６】
時刻ｔ２から時刻ｔ３の期間（第２の所定時間）、制御部４０は、第１光源５１の輝度ｍａｘを維持する。なお、維持する輝度は、ｍａｘに限られず、予め定められた輝度であってもよい。
【００２７】
時刻ｔ３から時刻ｔ４の期間（第３の所定時間）、制御部４０は、第１光源５１の輝度ｍａｘから０に下げ（減光ともいう）つつ、第２光源５２の輝度を０からｍａｘに上げていく。なお、時刻ｔ３は、ドア２が閉まるタイミングである時刻ｔ４であってもよい。また、第３の所定時間は、第１の所定時間と同じでもよい。
【００２８】
時刻ｔ５から時刻ｔ７の期間（第４の所定時間）、制御部４０は、第２光源５２の輝度ｍａｘを維持する。なお、維持する輝度は、ｍａｘに限られず、予め定められた輝度であってもよい。また、制御部４０は、一連の演出動作が終了していない時刻ｔ６のときに再びドア２が開かれた場合、この検出結果をマスクして検出しないようにしてもよい。また、第４の所定時間は、第２の所定時間と同じでもよい。
【００２９】
時刻ｔ７から時刻ｔ８の期間（第５の所定時間）、制御部４０は、第１光源５１の輝度０を維持しつつ、第２光源５２の輝度をｍａｘから０に下げていく。なお、制御部４０は、鎖線ｇ３に示すように、時刻ｔ７から時刻ｔ８の期間に第１光源５１の輝度を０からｍａｘに上げていき、時刻ｔ８から時刻ｔ９の期間に第１光源５１の輝度ｍａｘを維持し、時刻ｔ９から時刻ｔ１０の期間に第１光源５１の輝度をｍａｘから０に下げていくようにしてもよい。なお、この場合、第１光源５１の輝度をｍａｘから０に下げ始めるタイミングは、ドア２が閉じたことが検出されたタイミングであってもよい。
なお、時刻ｔ１０以後、次にドア２が開いたことが検出されるまで、第１光源５１のみ点灯させ続けるようにしてもよい。この場合、次に、ドア２が開いたことを検出したとき、制御部４０は、第１光源５１を消灯した後に、時刻ｔ１からの動作を繰り返すようにしてもよい。
【００３０】
図３に示したように、本実施形態では、まず照射対象物３上に印刷された印刷物の表示に影響を与えない波長（または波長帯域）の第１光源５１を点灯した後、第１光源５１の輝度を徐々に下げつつ、第２光源５２を徐々に上げる。これにより、例えばドア２が閉じられたとき、第１光源５１の輝度が上がった後、第１光源５１の輝度が徐々に下がりつつ、第２光源５２の輝度が徐々に上がるように制御部４０が制御する。
【００３１】
次に、光源５０を照射対象物３へ照射した場合の演出動作の一例を説明する。
図４は、本実施形態に係る光源５０を照射対象物３へ照射した場合の演出動作の一例を示す図である。
図４（ａ）の符号ｇ１０１は、図３における時刻ｔ１までの状態を表し、車両２０１のドア２が閉じている状態を表している。
図４（ｂ）の符号ｇ１１１は、図３における時刻ｔ１から時刻ｔ３の状態を表し、ドア２が開いたため、第１光源５１のみが点灯している状態を表している。
【００３２】
図４（ｃ）の符号ｇ１２１は、図３における時刻ｔ３から時刻ｔ５の間の状態を表し、第１光源５１の輝度が徐々に下がりつつ、第２光源５２の輝度が徐々に上がっている状態を表している。このとき、符号ｇ１０３の鎖線ｇ１６１で囲んだ領域のように、照射対象物３上には、第２光源５２の照射された輝度に応じて、文字や模様が浮かび上がってくる。
図４（ｄ）の符号ｇ１３１は、図３における時刻ｔ５から時刻ｔ７の間の状態を表し、第１光源５１の輝度が消灯を維持され、第２光源５２の輝度ｍａｘが維持されている状態を表している。このとき、符号ｇ１３１の鎖線ｇ１６１で囲んだ領域のように、照射対象物３上には、文字や模様が表示されている。
【００３３】
図４（ｅ）の符号ｇ１４１は、図３における時刻ｔ７から時刻ｔ９の間の状態を表し、少なくとも第２光源５２の輝度が徐々に下がっている状態を表している。このとき、符号ｇ１４１の鎖線ｇ１６１で囲んだ領域のように、照射対象物３上に表示された文字や模様の表示が徐々に薄くなって消えていく。
図４（ｆ）の符号ｇ１５１は、図３における時刻ｔ８以降の状態を表し、少なくとも第２光源５２の輝度０が維持されている状態を表している。
【００３４】
次に、制御部４０が行う処理手順の一例を説明する。
図５は、本実施形態に係る制御部４０が行う処理のフローチャートである。
（ステップＳ１）制御部４０は、開閉検出部１０が出力する開閉情報に基づいて、ドア２が開いているか否かを判別する。制御部４０は、ドア２が開いていると判別した場合（ステップＳ１；ＹＥＳ）、ステップＳ２に処理を進め、ドア２が閉じていると判別した場合（ステップＳ１；ＮＯ）、ステップＳ１の処理を繰り返す。
【００３５】
（ステップＳ２）制御部４０は、第１の所定時間、第１光源５１の輝度を徐々に上げていく。
（ステップＳ３）制御部４０は、第２の所定時間、第１光源５１の輝度を維持することで、第１光源５１を点灯させる。
【００３６】
（ステップＳ４）制御部４０は、第３の所定時間、第１光源５１の輝度を徐々に下げていきつつ、第２光源５２の輝度を徐々に上げていく。これにより、照射対象物３上に印刷された印刷物が、徐々に浮かび上がってくるように乗員に視認される。
（ステップＳ５）制御部４０は、第４の所定時間、第２光源５２の輝度を維持することで、第２光源５２を点灯させる。これにより、照射対象物３上に印刷された印刷物の表示が継続されているように乗員に視認される。
【００３７】
（ステップＳ６）制御部４０は、開閉検出部１０が出力する開閉情報に基づいて、ドア２が開いているか否かを判別する。制御部４０は、ドア２が開いていると判別した場合（ステップＳ６；ＹＥＳ）、ステップＳ８に処理を進め、ドア２が閉じていると判別した場合（ステップＳ６；ＮＯ）、ステップＳ７に進める。
【００３８】
（ステップＳ７）ドア２が閉じていると判別した場合、制御部４０は、第５の所定時間、第２光源５２の輝度を徐々に下げてく。これにより、照射対象物３上に印刷された印刷物が、徐々に消えていくように乗員に視認される。制御部４０は、ステップＳ７の処理後、処理を終了する。または、制御部４０は、ステップＳ７の処理後、ステップＳ１の処理に戻す。
【００３９】
（ステップＳ８）ドア２が開いていると判別した場合、制御部４０は、第５の所定時間、第２光源５２の輝度を徐々に下げていきつつ、第１光源５１の輝度を徐々に上げていく。これにより、照射対象物３上に印刷された印刷物が、徐々に消えていくように乗員に視認され、さらに乗員の足下が第１光源５１の光によって徐々に照らされていく。
【００４０】
（ステップＳ９）制御部４０は、開閉検出部１０が出力する開閉情報に基づいて、ドア２が閉じたか否かを判別する。制御部４０は、ドア２が閉じたと判別した場合（ステップＳ９；ＹＥＳ）、ステップＳ１１に処理を進め、ドア２が閉じていない（開いたまま）と判別した場合（ステップＳ９；ＮＯ）、ステップＳ１０に進める。
【００４１】
（ステップＳ１０）ドア２が閉じていないと判別した場合、制御部４０は、第６の所定時間、第１光源５１を点灯開始する。すなわち、制御部４０は、例えば図３において、時刻９以降も、第１光源５１の輝度ｍａｘを維持することで、点灯開始し、点灯を維持する。制御部４０は、ステップＳ９に処理を戻す。
【００４２】
（ステップＳ１１）ドア２が閉じていると判別した場合、制御部４０は、第７の所定時間、第１光源５１の輝度を徐々に下げる。制御部４０は、処理を終了する。または、制御部４０は、ステップＳ１１の処理後、ステップＳ１の処理に戻す。
以上で、制御部４０が行う処理を終了する。
【００４３】
なお、上述した処理手順は一例であり、これに限られない。図５に示した例では、トリガ信号としてドア２が閉じられたタイミングを用いたが、ドア２が閉じられたタイミング、または開いたタイミングと閉じたタイミングの両方を用いてもよい。例えば、ドア２が閉じられたタイミングを用いる場合、制御部４０は、ステップＳ１においてドア２が開いていると判別した後、ドア２が閉じられたと判別したときに、ステップＳ２以降の処理を行うようにしてもよい。
【００４４】
図４、図５に示したように、本実施形態では、車両２０１のドア２が開かれたとき、まず、第１の所定時間の期間、第１光源５１の輝度が徐々に上がり、その後、第２の所定時間の期間、第１光源５１に輝度が維持される。そして、本実施形態では、第３の所定期間、第１光源５１の輝度が徐々に下がりつつ、第２光源５２の輝度が徐々に上がることで、照射対象物３上に不可視インク等で印刷された印刷物が第２光源５２の輝度に応じて徐々に浮かび上がってくる。そして、本実施形態では、第４の所定期間、第２光源５２の輝度を維持することで、照射対象物３上に印刷された印刷物が表示され続ける。そして、本実施形態では、第５の所定期間、少なくとも第２光源５２の輝度を徐々に下げることで、照射対象物３上に印刷された印刷物が第２光源５２の輝度に応じて徐々に消えていく。以上のように、本実施形態では、トリガ信号としてドア２が開けられたとき、上記の一連の演出動作を行うことができるので、単にドア２の開閉に応じて光源を点灯させたり消灯させる照明装置と比較して、照明装置１の商品性を向上させることができる。
【００４５】
また、本実施形態によれば、照明装置１が少なくとも２つの波長（または波長帯域）のことなる光源を備え、この２つの光源の点灯と消灯を制御しているので、乗員が自分の好みの演出を得たいときには、好みの照射対象物３に取り替えるだけで、好みの演出効果を得ることができる。照射対象物３がフロアカーペットマットや座席１０４のシートカバーであるので、利用者は簡単に交換することができる。
【００４６】
［第２実施形態］
第１実施形態では、ドア２の開閉をトリガ信号に用いる例を説明したが、本実施形態では、照明装置１Ａが備える操作部２０を乗員が操作することによって演出動作を行う例を説明する。なお、照明装置１が操作部２０を備えていてもよい。
【００４７】
図６は、本実施形態に係る照明装置１Ａの構成を示すブロック図である。照明装置１と同じ機能を有する構成要素については、同じ符号を用いて説明を省略する。図６に示すように、照明装置１Ａは、照明装置１の構成要素に加えて操作部２０を備えている。また、操作部２０は、第１ＳＷ（スイッチ）２１、第２ＳＷ２２、第３ＳＷ２３、および第４ＳＷ２４を備えている。
【００４８】
操作部２０は、機械式スイッチ、タッチパネル等である。なお、照明装置１Ａが通信部を備える場合、照明装置１Ａは操作部２０を備えず、乗員が有するスマートフォン等の形態通信機器のタッチパネル等が操作部２０であってもよい。この場合、乗員はスマートフォンを操作し、操作された結果をスマートフォンが例えば無線回線で照明装置１Ａに送信するようにしてもよい。なお、操作部２０は、４つのスイッチのうち少なくとも１つを備えていればよい。スイッチが１つの場合、制御部４０は、スイッチが押された回数をカウントする。例えば１回目が押されたとき、第１ＳＷ２１が押された場合と同様であると判別し、２回目が押されたとき、第２ＳＷ２２が押された場合と同様であると判別し、３回目が押されたとき、第３ＳＷ２３が押された場合と同様であると判別し、４回目が押されたとき、第４ＳＷ２４が押された場合と同様であると判別する。
【００４９】
第１ＳＷ２１は、第１光源５１と第２光源５２の点灯を指示するスイッチである。
第２ＳＷ２２は、第１光源５１の点灯を指示するスイッチである。
第３ＳＷ２３は、第２光源５２の点灯を指示するスイッチである。
第４ＳＷ２４は、第１光源５１と第２光源５２の消灯を指示するスイッチである。
【００５０】
制御部４０は、記憶部３０が記憶する情報を用いて、操作部２０が出力した結果に応じて、第１光源５１と第２光源５２の点灯状態を変化させるように制御する。
【００５１】
次に、制御部４０が行う第１光源５１と第２光源５２の点灯状態の制御の例を説明する。
図７は、本実施形態に係る制御部４０が行う第１光源５１と第２光源５２の点灯状態の制御のタイミングチャートである。図７において、横軸は時刻を表す。波形ｇ１は、ドアの開閉状態を表す。波形ｇ２は、第１光源５１の輝度を表す。また、波形ｇ４は、第２光源５２の輝度を表す。また、本実施形態では、図７における時刻ｔ２１から時刻ｔ３１を含む一連の動作を演出動作という。なお、図７に示す例は、操作部２０が、１つのスイッチのみを備える例である。
【００５２】
時刻ｔ２１において、制御部４０は、操作部２０が出力した結果に応じて、操作部２０が操作されたと判別する。
時刻ｔ２１から時刻ｔ２２の期間（第１の所定時間）、制御部４０は、第１光源５１の輝度を０からｍａｘに上げていく。
【００５３】
時刻ｔ２３から時刻ｔ２４の期間（第２の所定時間）、制御部４０は、第１光源５１の輝度ｍａｘを維持する。
時刻ｔ２４から時刻ｔ２５の期間（第３の所定時間）、制御部４０は、第１光源５１の輝度ｍａｘから０に下げつつ、第２光源５２の輝度を０からｍａｘに上げていく。
【００５４】
時刻ｔ２５から時刻ｔ２６の期間（第４の所定時間）、制御部４０は、第２光源５２の輝度ｍａｘを維持する。
【００５５】
時刻ｔ２６から時刻ｔ２７の期間（第５の所定時間）、制御部４０は、第１光源５１の輝度０を維持しつつ、第２光源５２の輝度をｍａｘから０に下げていく。なお、制御部４０は、鎖線ｇ３に示すように、時刻ｔ２６から時刻ｔ２７の期間に第１光源５１の輝度を０からｍａｘに上げていき、時刻ｔ２７から時刻ｔ２８の期間に第１光源５１の輝度ｍａｘを維持し、時刻ｔ２８から時刻ｔ２９の期間に第１光源５１の輝度をｍａｘから０に下げていくようにしてもよい。
【００５６】
時刻ｔ２９のとき、操作部２０が出力した結果に応じて、操作部２０の操作が２回目であると判別する。そして、時刻ｔ２９のとき、制御部４０は、第１光源５１の輝度０からｍａｘに切り替える。そして、時刻ｔ２９から時刻ｔ３０の期間（第１０の所定時間）、制御部４０は、第１光源５１の輝度ｍａｘを維持する。
【００５７】
時刻ｔ３０のとき、操作部２０が出力した結果に応じて、操作部２０の操作が３回目であると判別する。そして、時刻ｔ３０のとき、制御部４０は、第１光源５１の輝度ｍａｘから０に切り替えることで消灯し、かつ第２光源５２の輝度を０からｍａｘに切り替える。そして、時刻ｔ３０から時刻ｔ３１の期間（第１１の所定時間）、制御部４０は、第２光源５２の輝度ｍａｘを維持する。
【００５８】
時刻ｔ３１のとき、操作部２０が出力した結果に応じて、操作部２０の操作が４回目であると判別する。そして、時刻ｔ３１のとき、制御部４０は、第１光源５１の輝度０を維持しつつ、第２光源５２の輝度をｍａｘから０に切り替えることで消灯する。
【００５９】
なお、図７に示した例では、第１光源５１を点灯、第１光源５１を消灯しつつ第２光源５２を点灯、第２光源５２を消灯する例を説明したが、これに限られない。操作部２０のスイッチが押された回数、または操作部２０の各スイッチが押されたとき、制御部４０は、第１光源５１を点灯、第１光源５１を点灯しつつ第２光源５２を消灯、第１光源５１を消灯、第１光源５１を消灯しつつ第２光源５２を点灯、第２光源５２を点灯、および第２光源５２を消灯のうちの少なくとも１つを行うようにしてもよい。
例えば、トリガ信号を検出したときに第１光源５１を消灯させることで、フロアマット自体（フロアマットの地模様）を視認できなくすることが可能となる。また、トリガ信号を検出したときに第１光源５１を点灯させることで、足下を照らすことができる。また、トリガ信号を検出したときに第１光源５１を点灯しつつ第２光源５２を消灯することで、フロアマットに印刷された文字や模様が消えていくように見せることができる。また、トリガ信号を検出したときに第１光源５１を消灯しつつ第２光源５２を点灯することで、フロアマットに印刷された文字や模様が表示されていくように見せることができる。また、トリガ信号を検出したときに第２光源５２を消灯させることで、フロアマットに印刷された文字や模様の表示を行わないようにすることができる。また、トリガ信号を検出したときに第２光源５２を点灯させることで、フロアマットに印刷された文字や模様の表示することができる。
【００６０】
次に、制御部４０が行う処理手順の一例を説明する。
図８は、本実施形態に係る制御部４０が行う処理のフローチャートである。なお、図８に示す例は、操作部２０が、１つのスイッチのみを備える例である。
【００６１】
（ステップＳ１０１）制御部４０は、操作部２０のスイッチが押された回数をカウントするカウント値Ｎを０に設定する。
（ステップＳ１０２）制御部４０は、操作部２０のスイッチが押されたか否かを判別する。制御部４０は、スイッチが押されたと判別した場合（ステップＳ１０２；ＹＥＳ）、ステップＳ１０３の処理に進め、スイッチが押されていないと判別した場合（ステップＳ１０２；ＮＯ）、ステップＳ１０１の処理を繰り返す。
【００６２】
（ステップＳ１０３）制御部４０は、カウント値Ｎに１を加算する。
（ステップＳ１０４）制御部４０は、ステップＳ１〜Ｓ５、およびＳ７（図５）の処理を行った後、ステップＳ１０５の処理に進める。
【００６３】
（ステップＳ１０５）制御部４０は、操作部２０のスイッチが押されたか否かを判別する。制御部４０は、スイッチが押されたと判別した場合（ステップＳ１０５；ＹＥＳ）、ステップＳ１０６の処理に進め、スイッチが押されていないと判別した場合（ステップＳ１０５；ＮＯ）、ステップＳ１０５の処理を繰り返す。
【００６４】
（ステップＳ１０６）制御部４０は、カウント値Ｎに１を加算する。
（ステップＳ１０７）制御部４０は、カウント値Ｎが２であるか３であるか４であるかを判別する。制御部４０は、カウント値Ｎが２であると判別した場合（ステップＳ１０７；Ｎ＝２）、ステップＳ１０８に処理を進め、カウント値Ｎが３であると判別した場合（ステップＳ１０７；Ｎ＝３）、ステップＳ１０９に処理を進め、カウント値Ｎが４であると判別した場合（ステップＳ１０７；Ｎ＝４）、ステップＳ１１０に処理を進める。
【００６５】
（ステップＳ１０８）制御部４０は、第１０の所定期間、第１光源５１を点灯させ、ステップＳ１０６の処理に戻す。
（ステップＳ１０９）制御部４０は、第１光源５１を消灯させ、かつ第１１の所定期間、第２光源５２を点灯させ、ステップＳ１０６の処理に戻す。
【００６６】
（ステップＳ１１０）制御部４０は、第２光源５２を消灯させる。
以上で、制御部４０は、処理を終了する。
【００６７】
なお、図７、図８に示した例では、操作部２０のスイッチが１つ、または複数のスイッチのうち１つが複数回押された例を説明したが、４つのスイッチ（第１ＳＷ２１〜第４ＳＷ２４）が押された場合に、制御部４０は、図７、図８に示した例の処理を行うようにしてもよい。
【００６８】
上述した構成と処理によって、本実施形態によれば、第１実施形態と同様の効果を得ることができる。
【００６９】
なお、第１実施形態と第２実施形態では、光源５０が第１光源５１と第２光源５２を備え、照射対象物３が第２光源５２の輝度に応じて印刷物が浮かび上がる例を説明したが、これに限られない。例えば、光源５０は、３つの異なる波長（または波長帯域）の第１光源５１〜第３光源を備えていてもよい。そして、照射対象物３上には、第２光源５２の輝度に応じて印刷された印刷物が表示される第１の不可視インクによる印刷に加え、第３光源の輝度に応じて印刷された印刷物が表示される第２の不可視インクによる印刷がされていてもよい。この場合、制御部４０は、例えば時間帯、例えばランダムにこの３つの光源の輝度を制御することで、異なる表示を照射対象物３上に表示させることができる。
【００７０】
なお、第１実施形態と第２実施形態で説明した照射対象物３上の印刷は、お客様の注文に応じたオーダーメイドであってもよく、予め用意されたデザインであってもよい。
【００７１】
なお、本発明における照明装置１（または１Ａ）の機能を実現するためのプログラムをコンピュータ読み取り可能な記録媒体に記録して、この記録媒体に記録されたプログラムをコンピュータシステムに読み込ませ、実行することにより光源５０の点灯状態の制御を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００７２】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００７３】
１…照明装置、２…ドア、２０１…車両、３…照射対象物、１０…開閉検出部、２０…操作部、、２１…第１ＳＷ、２２…第２ＳＷ、２３…第３ＳＷ、２４…第４ＳＷ、３０…記憶部、４０…制御部、５０…光源、５１…第１光源、５２…第２光源
【図１】
2017124769.tif 000003
【図２】
2017124769.tif 000004
【図３】
2017124769.tif 000005
【図４】
2017124769.tif 000006
【図５】
2017124769.tif 000007
【図６】
2017124769.tif 000008
【図７】
2017124769.tif 000009
【図８】
2017124769.tif 000010